(57)【要約】【課題】  キーボードの日常的な操作を診断対象としてオペレータの健康管理を行うことができる健康管理システム及び、情報処理装置、サーバを提供すること。【解決手段】  サーバでは、あるパーソナル・コンピュータのキーボードのキー入力に関する測定結果を受信すると（Ｓ３１：ＹＥＳ）、その測定結果であるキー入力数や、ＢＳキー入力数、合計圧力値、所要時間などをハードディスクに蓄積するとともに（Ｓ３２）、その測定結果であるキー入力数や、ＢＳキー入力数、合計圧力値、所要時間などを使用して、キー入力のスピードとキー入力の正確性とキー入力時の圧力の３つの項目について健康診断結果を算出し（Ｓ３３）、算出した健康診断結果を出力したりする（Ｓ３７）。【選択図】  図７
2006127264.tif 000002
【特許請求の範囲】
【請求項１】
情報処理装置と、前記情報装置に接続されたサーバと、を備えた健康管理システムであって、
前記情報処理装置は、
複数のキーを設けたキーボードと、
前記キーボードのキー入力をした者の健康状態を測定する測定手段と、
前記測定手段の測定結果を前記サーバに送信する情報処理装置側送信手段と、を備    え、
前記サーバは、
前記キーボードのキー入力をした者の健康状態の基準データが記憶された第１記憶    媒体と、
前記情報処理装置から送信された測定結果を受信するサーバ側受信手段と、
前記サーバ側受信手段で受信した測定結果と前記第１記憶媒体に記憶された基準デ    ータを比較して健康診断結果を算出する算出手段と、
前記算出手段で算出された健康診断結果が書き込まれる第２記憶媒体と、を備えた    こと、
を特徴とする健康管理システム。
【請求項２】
請求項１に記載する健康管理システムであって、
前記サーバは、
前記算出手段で算出された健康診断結果を前記情報処理装置に送信するサーバ側送    信手段を備え、
前記情報処理装置は、
前記サーバから送信された健康診断結果を受信する情報処理装置側受信手段と、
前記情報処理装置側受信手段で受信した健康診断結果に基づいて出力を行う出力手    段と、を備えたこと、
を特徴とする健康管理システム。
【請求項３】
請求項１又は請求項２に記載する健康管理システムであって、
前記サーバは、
前記サーバ側受信手段で受信した測定結果を蓄積する第３記憶媒体と、
前記第３記憶媒体に蓄積された測定結果に基づいて計算データを計算する計算手段    と、
前記計算手段で計算された計算データを基準データとして前記第１記憶媒体に書き    込む書込手段と、を備えたこと、
を特徴とする健康管理システム。
【請求項４】
請求項１乃至請求項３のいずれか一つに記載する健康管理システムを構成することを特徴とする情報処理装置。
【請求項５】
請求項１乃至請求項３のいずれか一つに記載する健康管理システムを構成することを特徴とするサーバ。
【請求項６】
複数のキーを設けたキーボードと、
前記キーボードのキー入力をした者の健康状態を測定する測定手段と、
前記キーボードのキー入力をした者の健康状態の基準データが記憶された第１記憶媒体と、
前記測定手段で測定した測定結果と前記第１記憶媒体に記憶された基準データを比較して健康診断結果を算出する算出手段と、
前記算出手段で算出された健康診断結果が書き込まれる第２記憶媒体と、を備えたこと、を特徴とする情報処理装置。
【請求項７】
請求項６に記載する情報処理装置であって、
前記算出手段で算出された健康診断結果に基づいて出力を行う出力手段を備えたこと、を特徴とする情報処理装置。
【請求項８】
請求項６又は請求項７に記載する情報処理装置であって、
前記測定手段で測定した測定結果を蓄積する第３記憶媒体と、
前記第３記憶媒体に蓄積された測定結果に基づいて計算データを計算する計算手段と、
前記計算手段で計算された計算データを基準データとして前記第１記憶媒体に書き込む書込手段と、を備えたこと、を特徴とする情報処理装置。
【発明の詳細な説明】
【技術分野】
【０００１】
本発明は、キーボードを操作するオペレータの健康管理をキーの入力状況を分析して行う健康管理システム及び、情報処理装置、サーバに関するものである。
【背景技術】
【０００２】
従来より、キーボードを操作するオペレータの健康管理を行う技術として、情報処理機器をオペレータが操作する時に、オペレータの心身状況を、生体的信号として検出して分析・評価する生体的信号の収集評価方法や健康管理通信網がある（例えば、特許文献１参照）。
【特許文献１】特開平９−２８５４５４号公報
【発明の開示】
【発明が解決しようとする課題】
【０００３】
しかしながら、上記背景技術の欄で指摘した生体的信号の収集評価方法や健康管理通信網では、生体的信号を取り出すためのセンサーをオペレータの身体に取り付ける必要がある。この点、センサーを身体に取り付けることはオペレータにとって面倒であり、また、センサーを身体に取り付けた状態は情報処理機器のスムーズな操作を妨げやすい。従って、この生体的信号の収集評価方法や健康管理通信網は、キーボードの日常的な操作を診断対象としてオペレータの健康管理を行うには不向きであった。
【０００４】
そこで、本発明は、上述した点を鑑みてなされたものであり、キーボードの日常的な操作を診断対象としてオペレータの健康管理を行うことができる健康管理システム及び、情報処理装置、サーバを提供することを課題とする。
【課題を解決するための手段】
【０００５】
この課題を解決するために成された請求項１に係る発明は、情報処理装置（例えば、パーソナル・コンピュータＡ１０１）と、前記情報装置（例えば、パーソナル・コンピュータＡ１０１）に接続されたサーバ（例えば、サーバ１１）と、を備えた健康管理システム（例えば、健康管理システム１）であって、前記情報処理装置（例えば、パーソナル・コンピュータＡ１０１）は、複数のキーを設けたキーボード（例えば、キーボード１２１）と、前記キーボード（例えば、キーボード１２１）のキー入力をした者の健康状態を測定する測定手段（例えば、圧力センサ１２２）と、前記測定手段（例えば、圧力センサ１２２）の測定結果を前記サーバ（例えば、サーバ１１）に送信する情報処理装置側送信手段（例えば、データ送受信部１１５）と、を備え、前記サーバ（例えば、サーバ１１）は、前記キーボード（例えば、キーボード１２１）のキー入力をした者の健康状態の基準データが記憶された第１記憶媒体（例えば、ハードディスク１４）と、前記情報処理装置（例えば、パーソナル・コンピュータＡ１０１）から送信された測定結果を受信するサーバ側受信手段（例えば、データ送受信部１６）と、前記サーバ側受信手段（例えば、データ送受信部１６）で受信した測定結果と前記第１記憶媒体（例えば、ハードディスク１４）に記憶された基準データを比較して健康診断結果を算出する算出手段（例えば、ＣＰＵ１２）と、前記算出手段（例えば、ＣＰＵ１２）で算出された健康診断結果が書き込まれる第２記憶媒体（例えば、ハードディスク１４）と、を備えたこと、を特徴としている。
【０００６】
また、請求項２に係る発明は、請求項１に記載する健康管理システム（例えば、健康管理システム１）であって、前記サーバ（例えば、サーバ１１）は、前記算出手段（例えば、ＣＰＵ１２）で算出された健康診断結果を前記情報処理装置（例えば、パーソナル・コンピュータＡ１０１）に送信するサーバ側送信手段（例えば、データ送受信部１６）を備え、前記情報処理装置（例えば、パーソナル・コンピュータＡ１０１）は、前記サーバ（例えば、サーバ１１）から送信された健康診断結果を受信する情報処理装置側受信手段（例えば、データ送受信部１１５）と、前記情報処理装置側受信手段（例えば、データ送受信部１１５）で受信した健康診断結果に基づいて出力を行う出力手段（例えば、ディスプレイ１３１）と、を備えたこと、を特徴としている。
【０００７】
また、請求項３に係る発明は、請求項１又は請求項２に記載する健康管理システム（例えば、健康管理システム１）であって、前記サーバ（例えば、サーバ１１）は、前記サーバ側受信手段（例えば、データ送受信部１６）で受信した測定結果を蓄積する第３記憶媒体（例えば、ハードディスク１４）と、前記第３記憶媒体（例えば、ハードディスク１４）に蓄積された測定結果に基づいて計算データを計算する計算手段（例えば、ＣＰＵ１２）と、前記計算手段（例えば、ＣＰＵ１２）で計算された計算データを基準データとして前記第１記憶媒体（例えば、ハードディスク１４）に書き込む書込手段（例えば、ＣＰＵ１２）と、を備えたこと、を特徴としている。
【０００８】
また、請求項４に係る発明は、情報処理装置（例えば、パーソナル・コンピュータＡ１０１）であって、請求項１乃至請求項３のいずれか一つに記載する健康管理システム（例えば、健康管理システム１）を構成することを特徴としている。
【０００９】
また、請求項５に係る発明は、サーバ（例えば、サーバ１１）であって、請求項１乃至請求項３のいずれか一つに記載する健康管理システム（例えば、健康管理システム１）を構成することを特徴としている。
【００１０】
また、請求項６に係る発明は、情報処理装置（例えば、パーソナル・コンピュータＡ１０１）であって、複数のキーを設けたキーボード（例えば、キーボード１２１）と、前記キーボード（例えば、キーボード１２１）のキー入力をした者の健康状態を測定する測定手段（例えば、圧力センサ１２２）と、前記キーボードのキー入力をした者の健康状態の基準データが記憶された第１記憶媒体（例えば、ハードディスク１１４）と、前記測定手段（例えば、圧力センサ１２２）で測定した測定結果と前記第１記憶媒体（例えば、ハードディスク１１４）に記憶された基準データを比較して健康診断結果を算出する算出手段（例えば、ＣＰＵ１１２）と、前記算出手段（例えば、ＣＰＵ１１２）で算出された健康診断結果が書き込まれる第２記憶媒体（例えば、ハードディスク１１４）と、を備えたこと、を特徴としている。
【００１１】
また、請求項７に係る発明は、請求項６に記載する情報処理装置（例えば、パーソナル・コンピュータＡ１０１）であって、前記算出手段（例えば、ＣＰＵ１１２）で算出された健康診断結果に基づいて出力を行う出力手段（例えば、ディスプレイ１３１）を備えたこと、を特徴としている。
【００１２】
また、請求項８に係る発明は、請求項６又は請求項７に記載する情報処理装置（例えば、パーソナル・コンピュータＡ１０１）であって、前記測定手段（例えば、圧力センサ１２２）で測定した測定結果を蓄積する第３記憶媒体（例えば、ハードディスク１１４）と、前記第３記憶媒体（例えば、ハードディスク１１４）に蓄積された測定結果に基づいて計算データを計算する計算手段（例えば、ＣＰＵ１１２）と、前記計算手段（例えば、ＣＰＵ１１２）で計算された計算データを基準データとして前記第１記憶媒体（例えば、ハードディスク１１４）に書き込む書込手段（例えば、ＣＰＵ１１２）と、を備えたこと、を特徴としている。
【００１３】
尚、「前記キーボードのキー入力をした者の健康状態」を表す項目には、例えば、キー入力時の正確性（誤入力の少なさ）や、キー入力時のタイプ速度、キー入力時の押下圧力などがある。
【発明の効果】
【００１４】
すなわち、本発明の健康管理システムや情報処理装置では、キーボードのキー入力をした者の健康状態を測定しつつ、その測定結果を基準データと比較して健康診断結果を算出・管理しているので、キーボードの日常的な操作を診断対象としてオペレータの健康管理を行うことができる。
【発明を実施するための最良の形態】
【００１５】
以下、本発明の実施の形態を図面を参照にして説明する。図１は、本実施の形態に係る健康管理システムのブロック図である。図１に示すように、本実施の形態に係る健康管理システム１では、通信回路網２に対して、サーバ１１や、パーソナル・コンピュータＡ１０１及びパーソナル・コンピュータＢ２０１などの複数台のパーソナル・コンピュータが接続されている。
【００１６】
この点、サーバ１１では、後述するサーバ側健康管理処理のプログラムを実行するＣＰＵ１２に対し、そのサーバ側健康管理処理のプログラムが記憶されたＲＯＭ１３や、そのサーバ側健康管理処理のプログラムで扱われたデータが書き込まれるハードディスク１４、ディスプレイやプリンタなどの出力部１５、通信回路網２に接続されるデータ送受信部１６、ワークエリアとして使用されるＲＡＭ１７、キーボードなどの入力部１８などが接続されている。
【００１７】
また、図２は、本実施の形態に係るパーソナル・コンピュータＡのブロック図である。図２に示すように、パーソナル・コンピュータＡ１０１は、本体１１１とキーボード１２１とディスプレイ１３１を有している。
【００１８】
そして、本体１１１には、後述するＰＣ側健康管理処理のプログラムを実行するＣＰＵ１１２に対し、そのＰＣ側健康管理処理のプログラムが記憶されたＲＯＭ１１３、そのＰＣ側健康管理処理のプログラムで扱われたデータを書き込むことができるハードディスク１１４、通信回路網２に接続されるデータ送受信部１１５、計時機構のタイマー機能１１６、ワークエリアとして使用されるＲＡＭ１１７などが接続されている。
【００１９】
さらに、ＣＰＵ１１２に対しては、上述したキーボード１２１やディスプレイ１３１に加えて、キーボード１２１の各キーの押下圧力を測定することが可能な圧力センサ１２２が接続されている。
【００２０】
尚、図２では、パーソナル・コンピュータＡ１０１の構成が示されているが、パーソナル・コンピュータＢ２０１や、通信回路網２に接続されている他のパーソナル・コンピュータについても、パーソナル・コンピュータＡ１０１と同様な構成を有している。
【００２１】
次に、本実施の形態に係る健康管理システム１において、通信回路網２に接続されているパーソナル・コンピュータで実行されるＰＣ側健康管理処理について説明する。図６は、本実施の形態に係る健康管理システムのパーソナル・コンピュータで実行されるＰＣ側健康管理処理を示すフローチャート図である。尚、ここでは、説明の便宜上、図２に示すパーソナル・コンピュータＡ１０１でＰＣ側健康管理処理が行われるものとして説明する。
【００２２】
図６に示すように、ＰＣ側健康管理処理では、先ず、Ｓ１１において、キーボード１２１上でキー入力が開始されるまで待機する（Ｓ１１：ＮＯ）。そして、キーボード１２１上でキー入力が開始されると（Ｓ１１：ＹＥＳ）、Ｓ１２において、タイマー機能１１６を利用して時間計測をスタートさせ、Ｓ１３に進む。
【００２３】
Ｓ１３では、キーボード１２１上で押下されたキーの総操作回数を求めるために、キー入力数のカウントを行う。具体的には、ここでは、ＲＡＭ１１７に確保されたキーの入力数記憶エリアの数値に「１」を加算する。
【００２４】
そして、Ｓ１４では、今回のキー入力がバック・スペースキー（以下、「ＢＳキー」という。）であるか否かを判断する。このとき、ＢＳキーであると判断する場合には（Ｓ１４：ＹＥＳ）、Ｓ１５において、キーボード１２１上で押下されたＢＳキーの総操作回数を求めるために、ＢＳキー入力数のカウントを行う。具体的には、ここでは、ＲＡＭ１１７に確保されたＢＳキーの入力数記憶エリアの数値に「１」を加算する。その後は、Ｓ１６に進む。一方、ＢＳキーでないと判断する場合には（Ｓ１４：ＮＯ）、何もすることなく、Ｓ１６に進む。
【００２５】
Ｓ１６では、今回のキー入力での押下操作時の圧力値を圧力センサ１２２から取得し、キー入力時の圧力値を累計する。具体的には、ここでは、圧力センサ１２２から取得したキー入力時の圧力値を、ＲＡＭ１１７に確保されたキーの圧力値記憶エリアの数値に加算する。
【００２６】
そして、Ｓ１７では、キーボード１２１上でキー入力が新たに行われたか否かを判断する。このとき、キーボード１２１上でキー入力が新たに行われたと判断する場合には（Ｓ１７：ＹＥＳ）、Ｓ１３に戻って、上述したＳ１３以降の処理を繰り返す。一方、キーボード１２１上でキー入力が新たに行われていないと判断する場合には（Ｓ１７：ＮＯ）、Ｓ１８に進む。
【００２７】
Ｓ１８では、キーボード１２１上でキー入力が最後に行われてから所定時間が経過している否かを判断する。この判断は、例えば、キー入力毎に時間計測がリセットされる計時処理などを同時に実行することによって行う。また、所定時間としては、キーボード１２１上での断続したタイピング作業に渡って後述する測定結果が収集されることを避けるために、例えば、３分などがセットされる。このとき、キーボード１２１上でキー入力が最後に行われてから所定時間が経過していないと判断する場合には（Ｓ１８：ＮＯ）、Ｓ１７に戻って、上述したＳ１７以降の処理を繰り返す。
【００２８】
一方、キーボード１２１上でキー入力が最後に行われてから所定時間が経過していると判断する場合には（Ｓ１８：ＹＥＳ）、Ｓ１９に進んで、データ送受信部１１５を介して測定結果をサーバ１１（図１参照）に送信する。尚、測定結果とは、ここでは、ＲＡＭ１１７に確保されたキーの入力数記憶エリアの数値（キー入力数）や、ＲＡＭ１１７に確保されたＢＳキーの入力数記憶エリアの数値（ＢＳキー入力数）、ＲＡＭ１１７に確保されたキーの圧力値記憶エリアの数値（合計圧力値）、キーボード１２１上でキー入力が開始されてから最後に行われるまでの計時時間（所要時間）などである。尚、キーボード１２１上でキー入力が開始されてから最後に行われるまでの計時時間（所要時間）は、例えば、上述したＳ１２でスタートした計測時間から上述したＳ１８の所定時間を差し引くことによって求めることができる。
【００２９】
その後は、Ｓ２０に進んで、ＲＡＭ１１７に確保された各記憶エリアの数値をクリアする。尚、本実施の形態に係る健康管理システムのパーソナル・コンピュータで実行されるＰＣ側健康管理処理については、その後の処理内容が図８のフローチャートにも記載されているが、説明の便宜上、後述する。
【００３０】
次に、本実施の形態に係る健康管理システム１において、通信回路網２に接続されているサーバ１１（図１参照）で実行されるサーバ側健康管理処理について説明する。図７は、本実施の形態に係る健康管理システムのサーバで実行されるサーバ側健康管理処理を示すフローチャート図である。尚、ここでは、説明の便宜上、図１に示すパーソナル・コンピュータＡ１０１とサーバ１１でデータ通信が行われるものとして説明する。
【００３１】
図７に示すように、サーバ側健康管理処理では、先ず、Ｓ３１において、測定結果を受信したか否かを判断する。具体的には、ここでは、パーソナル・コンピュータＡ１０１から送信された測定結果をデータ送受信部１６が受信したか否かで判断している。このとき、測定結果を受信していないと判断する場合には（Ｓ３１：ＮＯ）、Ｓ３１自身に戻り、測定結果を受信するまで待機する。一方、測定結果を受信したと判断する場合には（Ｓ３１：ＹＥＳ）、Ｓ３２に進む。
【００３２】
Ｓ３２では、測定結果をハードディスク１４に記憶する。具体的には、ここでは、図３に示すシートをパーソナル・コンピュータ毎にハードディスク１４において作成し、該当する項目の欄に測定結果の各データを書き込む。尚、測定結果は、上述したように、キー入力数、ＢＳキー入力数、合計圧力値、所要時間などである。また、図３に示すシートにおける「番号」の項目は、測定結果を受信した順番を表している。
【００３３】
そして、Ｓ３３では、健康診断結果を算出・記憶する。具体的には、ここでは、健康診断結果として、キー入力のスピードとキー入力の正確性とキー入力時の圧力の３つの項目が、以下のようにして算出される。
【００３４】
キー入力のスピード（回／分）は、１分間あたりのキー入力回数として、測定結果のキー入力数と所要時間から求められるとともに、求められた値はこれまでの平均値（後述する）と相対的に比較され、ここでは、これまでの平均値に対し９５％以上の数値であれば「正常」と評価され、９５％未満９０％以上の数値であれば「やや不調」と評価され、９０％未満の数値であれば「不調」と評価される。
【００３５】
キー入力の正確性（％）は、所要時間内でのキー入力の中でＢＳキー入力が占める割合として、測定結果のキー入力数とＢＳキー入力数から求められるとともに、求められた値はこれまでの平均値（後述する）と相対的に比較され、ここでは、これまでの平均値に対し９５％以上の数値であれば「正常」と評価され、９５％未満９０％以上の数値であれば「やや不調」と評価され、９０％未満の数値であれば「不調」と評価される。
【００３６】
圧力は、所要時間内でのキー入力時の押下圧力の平均値として、測定結果のキー入力数と合計圧力値から求められるとともに、求められた値はこれまでの平均値（後述する）と相対的に比較され、ここでは、これまでの平均値に対し９５％以上の数値であれば「正常」と評価され、９５％未満９０％以上の数値であれば「やや不調」と評価され、９０％未満の数値であれば「不調」と評価される。
【００３７】
さらに、ここでは、キー入力のスピードとキー入力の正確性とキー入力時の圧力の３つの項目のうち、一つでも「不調」があれば「不調」と総合評価され、「不調」はないが一つでも「やや不調」があれば「やや不調」と総合評価され、「不調」や「やや不調」がなければ「正常」と総合評価される。
【００３８】
そして、図５に示すシートをハードディスク１４において作成し、キー入力のスピードとキー入力の正確性とキー入力時の圧力の３つの項目について、それぞれの該当する欄に算出データを書き込むことにより、健康診断結果を記憶し、その後に、Ｓ３４に進む。
【００３９】
Ｓ３４では、データ送受信部１６を介して健康診断結果（図５に示すシート上の全データであってもよいが、ここでは、総合評価の「正常」「やや不調」「不調」のいずれか一つ）をパーソナル・コンピュータＡ１０１に送信する。
【００４０】
そして、Ｓ３５では、基準データを計算・記憶する。具体的には、ここでは、基準データとして、キー入力のスピードとキー入力の正確性とキー入力時の圧力の３つの項目について、それらの平均値が、これまでの測定結果が記憶・蓄積された図３に示すシート上の数値を使用して計算され、計算された３つの平均値は、ハードディスク１４において作成された図４に示すシートにて、パーソナル・コンピュータ毎に整理されて記憶される。尚、ここで算出・記憶された基準データ（各平均値）は、上述したＳ３３が次に実行される際に、健康診断結果を算出するために使用される。
【００４１】
その後は、Ｓ３６において、測定結果や、健康診断結果、基準データなどを出力するか否かを判断する。この判断や出力対象は、入力部１８からの入力信号に基づいて行われる。このときは、出力すると判断する場合に限って（Ｓ３６：ＹＥＳ）、Ｓ３７に進み、入力部１８を介して指定されたものを、ディスプレイやプリンタなどの出力部１５に出力する。これにより、本実施の形態に係る健康管理システム１の管理者は、各パーソナルコンピュータのオペレータについて、測定結果や、健康診断結果、基準データなどを一元管理することが可能となり、健康状態をチェックすることができるとともに、ケアなどのアクションも起こしやすくなる。
【００４２】
従って、サーバ１１のＣＰＵ１２がＳ３３を実行する際は、「算出手段」として機能する。
また、サーバ１１のＣＰＵ１２がＳ３５を実行する際は、「計算手段」と「書込手段」として機能する。
【００４３】
次に、本実施の形態に係る健康管理システム１において、通信回路網２に接続されているパーソナル・コンピュータで実行されるＰＣ側健康管理処理について説明する。図８は、本実施の形態に係る健康管理システムのパーソナル・コンピュータで実行されるＰＣ側健康管理処理を示すフローチャート図である。尚、ここでは、説明の便宜上、図２に示すパーソナル・コンピュータＡ１０１でＰＣ側健康管理処理が行われるものとして説明する。
【００４４】
すなわち、図８に示すように、ＰＣ側健康管理処理では、Ｓ５１において、健康診断結果を受信したか否かを判断する。具体的には、ここでは、サーバ１１から送信された健康診断結果をデータ送受信部１１５が受信したか否かで判断している。このとき、健康診断結果を受信していないと判断する場合には（Ｓ５１：ＮＯ）、Ｓ５１自身に戻り、健康診断結果を受信するまで待機する。一方、健康診断結果を受信したと判断する場合には（Ｓ５１：ＹＥＳ）、Ｓ５２に進んで、健康診断結果をディスプレイ１３１に表示する。具体的には、ここでは、サーバ１１から送信される健康診断結果は、総合評価の「正常」「やや不調」「不調」のいずれか一つであるから、このとき受信した総合評価の「正常」「やや不調」「不調」のいずれか一つ文字を表示する。これにより、パーソナル・コンピュータＡ１０１のオペレータは、健康度・ストレス・疲労などをチェックすることができ、自己意識を高めることができる。
【００４５】
以上詳細に説明したように、本実施の形態では、図１に示すように、通信回線網２に対して、サーバ１１や複数のパーソナル・コンピュータを接続することにより、健康管理システム１を構築している。この点、例えば、通信回線網２に接続されているパーソナル・コンピュータＡ１０１において、キーボード１２１上でキー入力が行われると、キーボード１２１のキー入力に関する測定結果として、キー入力数や、ＢＳキー入力数、合計圧力値、所要時間などがサーバ１１に送信される（Ｓ１９）。一方、サーバ１１では、キーボード１２１のキー入力に関する測定結果を受信すると（Ｓ３１：ＹＥＳ）、その測定結果であるキー入力数や、ＢＳキー入力数、合計圧力値、所要時間などをハードディスク１４に蓄積するとともに（Ｓ３２、図３参照）、その測定結果であるキー入力数や、ＢＳキー入力数、合計圧力値、所要時間などを使用して、キー入力のスピードとキー入力の正確性とキー入力時の圧力の３つの項目について健康診断結果を算出・記憶し（Ｓ３３、図５参照）、算出した健康診断結果は、サーバ１１の出力部１５で出力されたり（Ｓ３７）、パーソナル・コンピュータＡ１０１に送信・表示される（Ｓ３４、Ｓ５２）。さらに、キー入力数や、ＢＳキー入力数、合計圧力値、所要時間などの測定結果は、これまでのデータと合わされて、基準データとして平均値がそれぞれ計算・記憶され（Ｓ３５、図４参照）、次回の健康診断結果を算出する際に使用される。
【００４６】
すなわち、本実施の形態に係る健康管理システム１では、パーソナル・コンピュータＡ１０１でのキーボード１２１の日常的なキー操作を診断対象として、オペレータの健康管理を行うことができる。この点は、通信回線網２に接続されている各パーソナル・コンピュータにおいても同様である。
【００４７】
特に、現在では、パーソナル・コンピュータを介したオペレーションが仕事の中心になっているケースが多いことから、本実施の形態に係る健康管理システム１のように、パーソナル・コンピュータの代表的な入力装置であるキーボードを使って健康度を測定するシステムを構築することによって、パーソナル・コンピュータのオペレーションが仕事の中心であって内面的に病気になりがちな職種に就く人の健康度・ストレス・疲労をチェックすることができる。
【００４８】
尚、本発明は上記実施の形態に限定されるものでなく、その趣旨を逸脱しない範囲で様々な変更が可能である。
例えば、パーソナル・コンピュータのキーボード上で一つのキーが押下操作される度に、押下操作されたキーの種類や押下操作時の圧力や時刻をサーバ１１に送信すれば、最後のキー入力から３０分前まで、１時間前まで、１時間３０分前までなど、時間帯を区切って健康診断結果を算出することが可能となる。
【００４９】
また、圧力センサによる測定対象を、パーソナル・コンピュータのキーボード上での全てのキー入力にするのではなく、特定された種類のキー入力に限定すれば、圧力センサのコストを抑えることが可能である。但し、このとき、キー入力時の押下圧力の平均値は、特定された種類のキーの入力数より計算する必要がある。
【００５０】
また、本実施の形態では、図７に示すように、キー入力に関する測定結果の蓄積や、健康診断結果の算出・記憶、基準データの計算・記憶をサーバ１１で行っているが、この点、キー入力に関する測定結果を集めたパーソナル・コンピュータ内で行ってもよい。
【００５１】
そして、この場合には、例えば、パーソナル・コンピュータＡ１０１のＣＰＵ１１２が「算出手段」と「計算手段」と「書込手段」として機能する。
【産業上の利用可能性】
【００５２】
本発明は、情報機器を操作中のオペレータの健康評価技術に適用し得る。
【図面の簡単な説明】
【００５３】
【図１】本実施の形態に係る健康管理システムのブロック図である。
【図２】本実施の形態に係るパーソナル・コンピュータのブロック図である。
【図３】本実施の形態に係るサーバのハードディスクに作成され、キーボードのキー入力をした者の健康状態の測定結果が記憶されるシートを示した図である。
【図４】本実施の形態に係るサーバのハードディスクに作成され、キーボードのキー入力をした者の健康状態の基準データ（平均値）が記憶されるシートを示した図である。
【図５】本実施の形態に係るサーバのハードディスクに作成され、キーボードのキー入力をした者の健康状態の健康診断結果が記憶されるシートを示した図である。
【図６】本実施の形態に係る健康管理システムのパーソナル・コンピュータで実行されるＰＣ側健康管理処理を示すフローチャート図である。
【図７】本実施の形態に係る健康管理システムのサーバで実行されるサーバ側健康管理処理を示すフローチャート図である。
【図８】本実施の形態に係る健康管理システムのパーソナル・コンピュータで実行されるＰＣ側健康管理処理を示すフローチャート図である。
【符号の説明】
【００５４】
１  健康管理システム
１１  サーバ
１２  ＣＰＵ
１４  ハードディスク
１６  データ送受信部
１０１  パーソナル・コンピュータＡ
１１２  ＣＰＵ
１１４  ハードディスク
１１５  データ送受信部
１２１  キーボード
１２２  圧力センサ
１３１  ディスプレイ
【図１】
2006127264.tif 000003
【図２】
2006127264.tif 000004
【図３】
2006127264.tif 000005
【図４】
2006127264.tif 000006
【図５】
2006127264.tif 000007
【図６】
2006127264.tif 000008
【図７】
2006127264.tif 000009
【図８】
2006127264.tif 000010